【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
可変表示の開始条件が成立したことにもとづいて可変表示を行い、遊技者にとって有利な有利状態に制御可能な遊技機であって、
遊技媒体が所定領域を通過したことにもとづいて、可変入賞装置を遊技媒体が進入しやすい状態に制御する可変入賞装置制御手段と、
前記有利状態に制御される可能性、または前記可変入賞装置が遊技媒体が進入しやすい状態に制御されるか否かを報知するための所定演出を実行するか否かを決定する所定演出決定手段と、
前記所定演出を実行する所定演出実行手段とを備え、
前記所定演出実行手段は、可変表示が行われていないときに前記所定演出決定手段によって前記可変入賞装置が遊技媒体が進入しやすい状態に制御されることを報知するための前記所定演出を実行することに決定された場合に、当該決定から前記可変入賞装置が遊技媒体が進入しやすい状態に制御されるまでの期間よりも短い所定期間前記所定演出の実行を待機する
ことを特徴とする遊技機。
【請求項２】
可変表示の開始条件が成立したことにもとづいて可変表示を行い、遊技者にとって有利な有利状態に制御可能な遊技機であって、
遊技媒体が所定領域を通過したことにもとづいて、可変入賞装置を遊技媒体が進入しやすい状態に制御する可変入賞装置制御手段と、
前記開始条件が成立していない可変表示について、保留記憶として記憶する保留記憶手段と、
前記有利状態に制御される可能性、または前記可変入賞装置が遊技媒体が進入しやすい状態に制御されるか否かを報知するための所定演出を実行するか否かを決定する所定演出決定手段と、
前記所定演出を実行する所定演出実行手段とを備え、
前記所定演出実行手段は、可変表示が行われているときに前記所定演出決定手段によって前記可変入賞装置が遊技媒体が進入しやすい状態に制御されることを報知するための前記所定演出を実行することに決定された場合に、当該決定から当該可変表示の終了までの期間が前記可変入賞装置が遊技媒体が進入しやすい状態に制御されるまでの期間よりも短く、かつ、前記保留記憶手段に保留記憶が記憶されているときには、次に開始される可変表示まで前記所定演出の実行を待機する
ことを特徴とする遊技機。
【手続補正２】
【補正対象書類名】明細書
【補正対象項目名】０００１
【補正方法】変更
【補正の内容】
【０００１】
本発明は、可変表示の開始条件が成立したことにもとづいて可変表示を行い、遊技者にとって有利な有利状態に制御可能なパチンコ遊技機等の遊技機に関する。
【手続補正３】
【補正対象書類名】明細書
【補正対象項目名】０００９
【補正方法】変更
【補正の内容】
【０００９】
そこで、本発明は、所定演出によって遊技者の有利状態に制御される可能性に対する期待をより高めることによって遊技の興趣を向上させることを目的とする。
【手続補正４】
【補正対象書類名】明細書
【補正対象項目名】００１０
【補正方法】変更
【補正の内容】
【００１０】
（１）本発明による遊技機は、可変表示の開始条件（例えば、第１特別図柄および第２特別図柄のいずれの可変表示も実行されていない状態で、かつ大当り遊技状態でも小当り遊技状態でもないこと）が成立したことにもとづいて可変表示を行い、遊技者にとって有利な有利状態（例えば、大当り遊技状態）に制御可能な遊技機であって、遊技媒体が所定領域（例えば、ゲート３２）を通過したことにもとづいて、可変入賞装置（例えば、可変入賞球装置１５）を遊技媒体が進入しやすい状態（例えば、開放状態）に制御する可変入賞装置制御手段（例えば、遊技制御用マイクロコンピュータ５６０におけるステップＳ４５３〜Ｓ４５５の処理を実行する部分）と、有利状態に制御される可能性、または可変入賞装置が遊技媒体が進入しやすい状態に制御されるか否かを報知するための所定演出を実行するか否かを決定する所定演出決定手段と、所定演出を実行する所定演出実行手段（例えば、演出制御用マイクロコンピュータ１００におけるステップＳ７７９，Ｓ８３０の処理を実行する部分）とを備え、所定演出実行手段は、可変表示が行われていないときに所定演出決定手段によって可変入賞装置が遊技媒体が進入しやすい状態に制御されることを報知するための所定演出を実行することに決定された場合に、当該決定から可変入賞装置が遊技媒体が進入しやすい状態に制御されるまでの期間よりも短い所定期間（例えば、低ベース時の普通図柄の変動時間である１０秒よりも短い３秒：図４６におけるステップＳ７７０、図４５におけるステップＳ７４５および図４７参照）所定演出の実行を待機する（図４５におけるステップＳ７４３，Ｓ７４５参照）ことを特徴とする。
そのような構成によれば、遊技者が有利状態に制御される可能性に興味を示す可変表示の期間において所定演出が実行されるので、所定演出によって遊技者の有利状態に制御される可能性に対する期待をより高めることによって遊技の興趣を向上させることができる。
【手続補正５】
【補正対象書類名】明細書
【補正対象項目名】００１１
【補正方法】変更
【補正の内容】
【００１１】
（２）本発明による他の態様の遊技機は、可変表示の開始条件（例えば、第１特別図柄および第２特別図柄のいずれの可変表示も実行されていない状態で、かつ大当り遊技状態でも小当り遊技状態でもないこと）が成立したことにもとづいて可変表示を行い、遊技者にとって有利な有利状態（例えば、大当り遊技状態）に制御可能な遊技機であって、遊技媒体が所定領域（例えば、ゲート３２）を通過したことにもとづいて、可変入賞装置（例えば、可変入賞球装置１５）を遊技媒体が進入しやすい状態（例えば、開放状態）に制御する可変入賞装置制御手段（例えば、遊技制御用マイクロコンピュータ５６０におけるステップＳ４５３〜Ｓ４５５の処理を実行する部分）と、開始条件が成立していない可変表示について、保留記憶として記憶する保留記憶手段（例えば、第１保留記憶バッファおよび第２保留記憶バッファ）と、有利状態に制御される可能性、または可変入賞装置が遊技媒体が進入しやすい状態に制御されるか否かを報知するための所定演出を実行するか否かを決定する所定演出決定手段と、所定演出を実行する所定演出実行手段（例えば、演出制御用マイクロコンピュータ１００におけるステップＳ７７９，Ｓ８３０の処理を実行する部分）とを備え、所定演出実行手段は、可変表示が行われているときに所定演出決定手段によって可変入賞装置が遊技媒体が進入しやすい状態に制御されることを報知するための所定演出を実行することに決定された場合に、当該決定から可変表示の終了までの期間が可変入賞装置が遊技媒体が進入しやすい状態に制御されるまでの期間よりも短く、かつ、保留記憶手段に保留記憶が記憶されているときには、次に開始される可変表示まで所定演出の実行を待機する（図４６におけるステップＳ７６５，Ｓ７６６，Ｓ７６８，Ｓ７６９、図４５におけるステップＳ７４１、図４６におけるステップＳ７６１、および図４７におけるステップＳ７７１，Ｓ７７２参照）ことを特徴とする。
そのような構成によれば、遊技者が有利状態に制御される可能性に興味を示す可変表示の期間において所定演出が実行されるので、所定演出によって遊技者の有利状態に制御される可能性に対する期待をより高めることによって遊技の興趣を向上させることができる。
【手続補正６】
【補正対象書類名】明細書
【補正対象項目名】００１２
【補正方法】変更
【補正の内容】
【００１２】
（３）上記の（１）の遊技機において、所定演出実行手段は、所定期間内に可変表示が開始されない場合には、所定期間が経過したときに所定演出を開始する（図４５におけるステップＳ７４５、および図４７に示すステップＳ７７７参照）ように構成されていてもよい。
そのような構成によれば、可変入賞装置が遊技媒体が進入しやすい状態に制御されることを報知するための所定演出の実行の頻度を低下させないようにすることができる。
【手続補正７】
【補正対象書類名】明細書
【補正対象項目名】００１３
【補正方法】変更
【補正の内容】
【００１３】
（４）上記の（１）の遊技機において、所定演出実行手段は、所定期間内に可変表示が開始されない場合には、所定演出とは異なる態様で可変入賞装置が遊技媒体が進入しやすい状態に制御されることを報知するための特別演出を実行する（変形例＃１参照）ように構成されていてもよい。
そのような構成によれば、遊技者が有利状態に制御される可能性に興味を示さない期間において所定演出が実行されることが防止されるとともに、特別演出によって可変入賞装置が遊技媒体が進入しやすい状態に制御されることを遊技者に報知することができる。
【手続補正８】
【補正対象書類名】明細書
【補正対象項目名】００１４
【補正方法】変更
【補正の内容】
【００１４】
（５）上記の（２）の遊技機において、所定演出実行手段は、可変表示の終了までの期間が可変入賞装置が遊技媒体が進入しやすい状態に制御されるまでの期間よりも短く、かつ、保留記憶手段に保留記憶が記憶されていないときには、所定演出により可変入賞装置が遊技媒体が進入しやすい状態に制御されることを報知する場合に、可変表示が終了する前に所定演出を開始する（図４６におけるステップＳ７６５，Ｓ７６７，Ｓ７６８、および図４７におけるステップＳ７７５，Ｓ７７６参照）ように構成されていてもよい。
そのような構成によれば、遊技者が有利状態に制御される可能性に興味を示す状況にならいことが確定している場合には所定演出を実行することによって、所定演出の実行の頻度を低下させないようにすることができる。
【手続補正９】
【補正対象書類名】明細書
【補正対象項目名】００１５
【補正方法】変更
【補正の内容】
【００１５】
（６）上記の（２）の遊技機において、所定演出実行手段は、可変表示の終了までの期間が可変入賞装置が遊技媒体が進入しやすい状態に制御されるまでの期間よりも短く、かつ、保留記憶手段に保留記憶が記憶されていないときに、所定演出とは異なる態様で可変入賞装置が遊技媒体が進入しやすい状態に制御されることを報知するための特別演出（例えば、可変入賞球装置１５が開放することを直接的に表す文字画像による演出）を実行する（変形例＃２参照）ように構成されていてもよい。
そのような構成によれば、遊技者が有利状態に制御される可能性に興味を示さない期間において所定演出が実行されることが防止されるとともに、特別演出によって可変入賞装置が遊技媒体が進入しやすい状態に制御されることを遊技者に報知することができる。